Podtech/llm-jp-corpus-v4-ja_patent huggingface dataset:
(57)【要約】【課題】仏壇用線香立てより、灰や線香が落ちたり、飛散したりするのを防止する覆い容器を提供する。【解決手段】全体を香炉より少し大きめに覆い容器を形成して本体とし、上部開口の円筒形とした上で、高さの上半分ほどの前面が開閉可能となるように、左又は右のいずれかの円周の半分ほどの位置に、蝶番を介して扉を形成し、別に本体底部にあたる位置には、灰等を受ける受け皿を形成した透過性の覆い容器である事を特徴とする。【選択図】    図３
2005253907.tif 000002
【特許請求の範囲】
【請求項１】
本体を、線香立てより少し大きめの外径とした上で円筒形とし、上部及び底部を開口となして覆い容器を形成し、本体より上半分ほどの前面が、左又は右に開閉可能となるように、左右いずれかの円周の半分ほどの位置に、蝶番を介して扉を形成し、扉の開閉をしやすくする為の取手を取り付け、別に本体底部に当たる位置には、本体よりやや外径の大きい、浅い縁を形成した皿状の受け皿を形成した事を特徴とする、仏壇用香炉外覆い容器。
【発明の詳細な説明】
【技術分野】
【０００１】本発明は仏具に付属する容器に関し、さらにくわしくは、仏壇に置く線香立て（香炉）容器から、灰が飛散しないように覆う、外覆い容器に関する。
【背景技術】
【０００２】
【特許文献１】特開平８−１４８００８
【特許文献２】実開平５−８７１６７
【特許文献３】実開平６−１９７３８
【特許文献４】特開２０００−３１６９６０
【発明の開示】
【発明が解決しようとする課題】
【０００３】特許文献１（発明の名称：香炉行燈）にあっては、設置場所の限られたスペースに香炉と行燈のふたつを同時に設置することを可能とするため、行燈型の透光性を有する覆体の内部に香炉を、形成する技術が開示されている。
また、特許文献２（考案の名称：墓前用香炉）にあっては、香炉等が風に飛ばされることのないように、円筒状または略多角形筒の筒状体によって外容器を形成した墓前用の香炉の技術が示されている。
また、特許文献３（考案の名称：薫香用香炉カバー）においては、側壁を形成した中空体の香炉カバーの技術が示されている。
さらに特許文献４（発明の名称：香気剤の気化装置および気化方法）においては、乳香等の香気剤を気化させる気化装置であって、蝶番とともに扉部材を形成し、平坦な面に載置するのに適した台座部、さらには各部材を透明材料により形成する技術が開示されている。
しかしながら、特許文献１の技術にあっては、人が面する前面において、開閉のための扉や開口部が形成されていないため、香炉内の香剤や灰などの交換などをする際、その度ごとに行燈部材を上からはずさなければならず、面倒さをともなう。
また、特許文献２の技術にあっては、風などからの香炉の転倒を防止する意味では安定感があるものの、墓前用を前提としているため、素材も真鍮や陶器などの重量物を使用せざるを得ず、製造コストも高くなることが予想され、なおかつ扉が形成されないため、線香などの頻繁な交換には適さない構造となっている。
また、特許文献３にあっては、上方にやや斜めに勾配をもって形成した側壁によって、香炉からのぼる煙の上昇模様などを楽しむ趣などを有する利点があるものの、香道のための技術のため、やはり香剤の頻繁な交換を意図した構造とはなっていない。
さらに特許文献４にあっては、安定的な台座や扉部材を形成したことによって、前記特許文献１ないし３に見られる課題を、一見すると解決するかに見えるものの、扉部材ないしカバー部材を多数のパンチ孔を形成したパンチングメタルにより構成し、その一部に透明窓を設けるため、気化を十分に促すための通気性が落ちる、という難点が考えられる。
本発明においては、これら上記特許文献に見られる課題を解決し、室内の仏壇などにおいて、線香や灰、ないしは香炉そのものが、飛散・転倒などしないよう、また香剤の十分な気化が促される構造をもった香炉カバーを提供しようとするものである。
【課題を解決するための手段】
【０００４】本発明は、上記課題を解決するため、香炉（線香立て）より、やや外径の大きな覆い容器を、円筒上部開口となして形成し、これを本体とした上で、この本体の高さの上半分ほどの前面が左又は右に開閉可能となるように、左右いずれかの円周の半分ほどの位置に蝶番を介して扉を形成し、別に本体底部にあたる位置には、灰等を受ける受け皿を形成した、仏壇用香炉外覆い容器である事を特徴とする。
【発明の効果】
【０００５】灰の飛散防止、及び万一線香が倒れた場合、仏壇の棚や、径机等に落ちるのを防止する。
【発明を実施するための最良の形態】
【０００６】以下、本発明の実施例について説明する。
（イ）本体（１）は、プラスチック樹脂（ＡＢＳ樹脂）で、透過素材を使用する。
本体は、円筒形とし、上部及び底部は開口とする。本体の高さとしては、線香立てに線香を立てた状態で、覆い容器より線香が高くならない高さで形成し、円筒形の大きさは、香炉より少し大きめの外径で、覆い容器を形成し、本体とする。
本体の高さ上半分ほどの位置に、前面が、左又は右に開閉可能となるように左右いずれかの円周の半分ほどの位置に、蝶番（４）を介して扉（３）を形成し、開閉しやすいように、取手（５）を取り付ける。
（ロ）別に、本体底部にあたる位置には、プラスチック樹脂（ＡＢＳ樹脂）で灰等を受ける。本体より少し外径が大きめで、浅い縁を形成した皿状の受け皿を設ける。
尚、本発明を使用するにあたっては、上記本体底部の受け皿に香炉（線香立て）を置き、本体を覆わせて使用する、仏壇用香炉外覆い容器である。
【図面の簡単な説明】
【０００７】
【図１】    本発明の斜視図である。
【図２】    本発明の扉を開けたときの斜視図である。
【図３】    本発明の使用状態を示す斜視図である。
【図４】    本発明の受け皿を示す斜視図である。
【符号の説明】
【０００８】    １  本体
２  受け皿
３  扉
４  蝶番
５  取手
【図１】
2005253907.tif 000003
【図２】
2005253907.tif 000004
【図３】
2005253907.tif 000005
【図４】
2005253907.tif 000006
(57)【要約】【課題】腹腔鏡手術および体外法などの小視野の開腹手術において従来より用いられている把持鉗子は把持するポイントのない球形の目的物は把持しずらく、また挟鉗し把持することで保存すべき組織の挫滅や出血をきたすことが多かった。【解決手段】この発明は、臓器および腫瘤を挟鉗することなく陰圧にて吸引し把持することで目的物を挟鉗することなく支持するができ、球形の物も把持しやすくさらに出血や臓器の損傷などのリスクを軽減し手術を行うこと可能とする。【選択図】図１
2005253906.tif 000002
【特許請求の範囲】
【請求項１】
腹腔鏡手術および体外法などの小視野の開腹手術において吸引を用い陰圧にて把持することで臓器および腫瘤などの目的物を挟鉗することなく把持することを目的とする吸引式把持鉗子
【請求項２】
把持部分に半球状もしくはラッパ状などの軟度のある素材を用いることにより、従来より手術に用いられているトラッカールおよび体外法などの小視野の開腹創より挿入し吸引をかけ陰圧にて把持することができる吸引式把持鉗子
【発明の詳細な説明】
【技術分野】
【０００１】この発明は、医学特に外科などにおける腹腔鏡手術および体外法などの小視野の開腹手術においてに用いる鉗子に関する。
【背景技術】
【０００２】現在腹腔鏡および開腹手術において用いられている鉗子は金属性であり挟鉗（はさむの意・以下挟鉗とす）することで把持していた。
【特許文献１】  特になし
【発明の開示】
【発明が解決しようとする課題】
【０００３】しかしながら、現在までの技術によれば、挟鉗するポイントのない球形の臓器および腫瘤は把持しにくく、さらに把持を目的として挟鉗することで本来保存すべき臓器が挫滅したり、また挟鉗することで出血をきたすことが多い。そこで、この発明は、臓器および腫瘤を挟鉗することなく把持し支持することでより出血や臓器の損傷などのリスクを軽減し手術を行うことを課題とする。
【課題を解決するための手段】
【０００４】以上の課題を解決するために、第一発明は、腹腔鏡に用いられている鉗子の柄の部分を内部が空洞である金属性のストロー状とし、その先に半球状もしくはラッパ状の把持部分をつけ対側から陰圧をかけることで目的物を把持することを特徴とする吸引式把持鉗子である。【０００５】また、第二発明は、半球状もしくはラッパ状の把持部分に塩化ビニルやゴムなど目的に応じた軟度のある素材を用いることにより、外筒部とともに従来より手術に用いられているトラッカールより挿入し外筒をずらし把持鉗子部分を露出し吸引をかけ陰圧にて把持することができる。また、外筒を先端に向けてずらし把持鉗子をたたむことでトラッカールより抜去することができる吸引式把持鉗子である。また同様の操作で小切開による狭い切開創からの鉗子の挿入および抜去が可能である。
【発明の効果】
【０００６】第一発明または第二発明によれば挟鉗するポイントのない球形や挫滅や出血のリスクの高い臓器および腫瘤を陰圧に吸引することで把持できるため、腹腔鏡および小開腹による手術のリスクを軽減しより手術が行い易くなる。
【発明を実施するための最良の形態】
【０００７】この発明の一実施形態を、図１に示す。
吸引式把持鉗子の本体１（柄）の部分は金属性であり中空のストロー型である。本体２（把持鉗子）の部分は、塩化ビニルやゴムなどの軟度のある半球状もしくはラッパ状の把持部である。本体３（吸引接合）の部分は陰圧とするため吸引管と接合する。本体４（外筒）の部分は本体と共にトラッカールより挿入、挿入後外筒を後方にずらすことで把持鉗子部分を露出し、また先端側にずらすことで把持鉗子部分を格納する。【０００８】本体２（把持鉗子）の部分は、塩化ビニルやゴムなどの軟度のある半球状もしくはラッパ状とし、たたむことで外筒への格納を可能にすることにより従来より用いられているトラッカールおよび狭い切開創からの挿入、抜去が可能である。【０００９】「実施形態の効果」
この実施形態によれば、目的物を、挟鉗することなく把持し支持することができるため挫滅や出血のリスクを著明に減少させることができる。従来より用いられているトラッカールや狭い術野からの挿入、抜去が可能であるため術中にその組織に合った素材、大きさなど選択することもできる吸引式把持鉗子である。【００１０】「他の実施形態」
図１の実施形態では、把持鉗子部分は、半球状もしくはラッパ状であったが、他の実施形態では三角錐、四角錐でも良くまた線上の滑り止めを縁に平行に複数つけることも可能である。吸引接合部に吸引圧調整器とつけることも可能である。外筒部は取り外して使用することも可能である。
【産業上の利用可能性】
【図面の簡単な説明】
【００１１】
【図１】この発明を示す斜視図である。吸引接合部分より陰圧に保つことで、把持鉗子部分にて目的物を把持する。陰圧維持バルブは腹腔鏡にて用いる場合腹腔内を陰圧に保つとともに本体柄部分を安定させることができ、本体・柄部分、外筒部分のいずれかに固定することとなる。
【図２】この発明を示す側面断面図（吸引把持時）である。
【図３】この発明を示す側面断面図（挿入および抜去時）である。
【符号の説明】
【００１２】１  本体・柄部分      ２  把持鉗子部分    ３  吸引接合部分
４  陰圧維持バルブ    ５  外筒
【図１】
2005253906.tif 000003
【図２】
2005253906.tif 000004
【図３】
2005253906.tif 000005
(57)【要約】【課題】今まで便座は素手で上げ下げするものであった。トイレの便座を夫が上げたままにしていることや外出先でのトイレ使用時に便座の上げ下げが不潔で嫌だった。また、ぎっくり腰の時の苦痛を思い出しどうすればよいか考えた。【解決手段】便座の裏側に台座を取り付けて固定する。その台座に軸を通し先端に付けたハンドルを動かして便座を上げ下げする。軸は台座の中で回転し、ある程度回転を制御されるのでハンドルの位置が常に必要な高さを維持する。台座は便座の左右どちらにも取り付けが出来るし、軸は取り外しが出来る。【選択図】図  １
2005253930.tif 000002
【特許請求の範囲】
【請求項１】
底面が無い箱型の台座（１）の側面とその相対する側面に穴（３）Ａ，Ｂをあけ、Ｌ字形軸（２）を差し込む。これを便座（７）の裏側に取り付ける。便座（７）の外側に出たＬ字形軸（２）はその先端につけたハンドル（５）を上げ下げすることにより便座を上げ下げする。
以上のごとく構成された手動式便座上げ下げ補助用具。
【発明の詳細な説明】
【発明の詳細な説明】
【技術分野】
【０００１】  この発明は、箱型の台座の側面に穴をあけて、これにＬ字形軸を通しこれを便座の裏側に取り付け、便座の外側に張り出したＬ字形軸の先端にハンドルを付けた手動式便座上げ下げ補助用具に関するものである。
【背景技術】
【０００２】  従来、便座は素手で、腰を屈めて上げ下げした。
【発明が解決しようとする課題】
【０００３】  これには、次のような欠点があった。
（イ）背が高い人や腰痛の人は、便座の上げ下げのとき腰を屈めるため、毎回苦痛であった。
（ロ）家庭では、男性が使用後はいつも、便座が上げたままになっていて、女性が使用するときその都度便座を下ろさなければならなかった。
（ハ）飲食店など外出先でトイレを使用するとき、素手で便座を上げ下げするのがとても不潔に感じた。
本発明は、これらの欠点を除くためになされたものである。
【課題を解決するための手段】
【０００４】  便座（７）の裏側に台座（１）を取り付け、Ｌ字形軸（２）を台座（１）にあけた穴（３）Ａから穴（３）Ｂにさしこむ。便座（７）の外側に出たＬ字形軸（２）の端につけたハンドル（５）を上下に動かすことにより便座（７）を上げ下げする。
本発明は、以上のような構成よりなる手動式便座上げ下げ補助用具である。
【発明を実施するための最良の形態】
【０００５】以下、本発明の実施の形態について説明する。
（イ）底面が無い箱形の台座（１）の側面と、その相対する側面に穴（３）（Ａ，Ｂ）をあける。穴（３）は突起物（６）が通るように一部分広くあけておく。
（ロ）Ｌ字形軸（２）は片方の先端又はその近くに突起物（６）を付けておき一部分広くあけてある穴（３）だけ通り、すぐに抜けないようにしておく。
（ハ）突起物（６）が付いたＬ字形軸（２）は台座（１）の穴（３）（Ａ，Ｂ）を通り抜け止まる。台座（１）の他方の外側に出ているＬ字形軸（２）は穴（３）より太くなり便座（７）の外側で折れ曲がりその先端にハンドル（５）が付いている。
（ニ）穴（３）（Ａ，Ｂ）の外側又は内側に、Ｌ字形軸の突起物（６）が当たって回転がある程度制御されるよう障害物（４）を取り付けている。
（ホ）便座（７）の裏側に台座（１）を取り付け、Ｌ字形軸（２）を、穴（３）Ａから穴（３）Ｂに通す。ハンドル（５）を上げ下げすることで便座（７）が上下に動く。Ｌ字形軸（２）が台座（１）の中で回転し、Ｌ字形軸（２）に取り付けた突起物（６）が障害物（４）に当ることにより、軸の回転が制御されハンドルの位置が必要な高さに保たれる。
（ヘ）台座及び軸の材質は、金属、木材等植物、鉱物、科学物質など酷使に耐えうる強度を持つものである。
（ト）台座（１）は便座（７）の裏側の左右両方に取り付けることが出来るので、Ｌ字形軸（２）は便座の裏側左右どちら側からも穴（３）に通すことが出来るまた、
【図８】
のようにＬ字形軸（２）を途中で折り曲げないで短くしたものを、便座（７）の両側に取り付けその両端をつなぐように半円形の取っ手（８）をつける。この取っ手（８）を持ち上げることにより便座を簡単に持ち上げることも出来る。
（チ）便座（７）の裏側に台座（１）を取り付ける方法として、強度の接着剤、又は同等に密着させる器具を付ける。その他として、あらかじめ便座（７）の裏側に台座（１）取り付け用の穴（９）を複数あけたり、結合するための器具を取り付けておく。
台座（１）の上面（便座と接着する面）にも複数の取り付け用の穴（９）をあけておく。また便座製造の際、便座（７）の裏側に台座（１）の機能を取り付けたものを作る。Ｌ字形軸は取り外しが簡単なので、必要としないときは外すことができる。
便座の裏側の形状にあわせて台座の天井面は、そのかたちを変える。
（リ）軸の形は、その使用法に支障が無い限りＬ字形であったり曲線であったりさまざまである。
（ヌ）台座（１）の形は箱型に限らず、天井と穴（３）ＡＢのあいた側面だけの場合もある。
【発明の効果】
【０００６】台座を便座の裏側に取り付けて固定する。その台座に軸を通すだけでよい。軸は破損したら簡単に取り替えることが出来るので費用も安あがりである。台座はその中央線から左右対称なので、台座も軸も左右どちらにも使用可能で便利である。ハンドルや取っ手を動かすだけで楽に便座が上げ下げできハンドルの高さが保持出来る。腰痛やその他の理由で困っていた人にはとても役に立つ。便座の裏側に、はじめからこの台座の機能を取り付けることが出来れば、使用する人、しない人それぞれの都合で軸を付けたり外したりすることが出来る。
【図面の簡単な説明】
【図１】  本発明の正面図
【図２】  本発明の正面図
【図３】  本発明の平面図
【図４】  本発明の下から見た平面図
【図５】  本発明の側面図
【図６】  本発明の斜視面
【図７】  本発明の使用図
【図８】  本発明の使用図
【符号の説明】
（１）  台座
（２）  Ｌ字形軸
（３）  穴（Ａ，Ｂ）
（４）  障害物
（５）  ハンドル
（６）  突起物
（７）  便座
（８）  取っ手
（９）  取り付け用穴
【図１】
2005253930.tif 000003
【図２】
2005253930.tif 000004
【図３】
2005253930.tif 000005
【図４】
2005253930.tif 000006
【図５】
2005253930.tif 000007
【図６】
2005253930.tif 000008
【図７】
2005253930.tif 000009
【図８】
2005253930.tif 000010
(57)【要約】【課題】従来の草履用爪掛は草履と固定され一体化しているものしかない。その為、屋外では防寒・雨避けとし必要だが、屋内や晴天時ではその必要性がなく邪魔である。【解決手段】上記で目的を達成する為に、草履の先端から前緒▲２▼まで爪掛を被せ、穴▲３▼に前緒▲２▼を通し、マジックテープ又はマジックテープと着脱可能な物▲４▼で付け、爪掛底表のゴムテープ▲５▼を後緒▲６▼に通し爪掛裏面のボタン▲７▼に掛け固定する事により草履と爪掛の取り外し可能にする。【選択図】図１
2005253927.tif 000002
【特許請求の範囲】
【請求項１】
草履の先端から前緒▲２▼まで爪掛を被せ、穴▲３▼に前緒▲２▼を通し、マジックテープ▲４▼で付け、爪掛底表のゴ厶テープ▲５▼を後緒▲６▼に通し爪掛裏面のボタン▲７▼に掛け固定する事により草履と爪掛の取り外し可能な機能を特徴とする和装用草履の爪掛。
【発明の詳細な説明】
【産業上の利用分野】
【０００１】本発明は和装用草履の爪掛の改良に関する
【背景技術】
【０００２】従来の爪掛は草履と固定され一体化している物が多い。その為、屋外では防寒・雨避けとし必要だが屋内ではその必要性が無く邪魔である。
【発明が解決しようとする課題】
【０００３】上記で述べた従来の物では爪掛付き草履と付いていない普通の草履の二足が必要となりどちらか一足の草履ではＴＰＯに対応出来ない。
【０００４】本発明はこの様な従来の欠点を解消する工夫を施した爪掛を提供する事を目的とする。
【課題を解決しようとする手段】
【０００５】上記目的を達成する為に草履の先端から前緒▲２▼まで爪掛を被せ、穴▲３▼に前緒▲２▼を通し、マジックテープで▲４▼で付け、爪掛底表のゴムテープ▲５▼を後緒▲６▼に通し爪掛裏面のボタン▲７▼に掛け固定する事により草履と爪掛の取り外し可能にする。
【作用】
【０００６】本発明は上記の様な構成により、爪掛はマジックテープ▲４▼と後緒▲６▼にゴムテープ▲５▼でボタン▲７▼を掛ける事で取り外し可能にする物である。
【発明の効果】
【０００７】本発明は前記した様に草履と爪掛の取り外しが出来、一足の草履で二通りの使用が可能となる。又、爪掛の携帯も可能になる為に今までの欠点とする場合に対しての解決が出来る。
【発明の実施例、及び実施する為の最良の形態】
【０００８】図２図４に示す実施は草履の先端から前緒▲２▼まで爪掛を被せ、穴▲３▼に前緒▲２▼を通し、マジックテープ▲４▼で付け爪掛底表のゴムテープ▲５▼を後緒▲６▼に通し爪掛裏面ボタン▲７▼に掛け固定する。
【図面の簡単な説明】
【０００９】
【図１】本発明を草履に設置した図
【図２】本発明を草履に設置した断面図
【図３】本発明表面図
【図４】本発明裏面図
【符号の説明】
【００１０】▲１▼  爪掛  つまかわに同じ
▲２▼  前緒
▲３▼  穴
▲４▼  マジックテープ
▲５▼  ゴムテープ
▲６▼  後緒
▲７▼  ボタン
【図１】
2005253927.tif 000003
【図２】
2005253927.tif 000004
【図３】
2005253927.tif 000005
【図４】
2005253927.tif 000006
【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
草履の先端から前緒▲２▼まで爪掛を被せ、穴▲３▼に前緒▲２▼を通し、マジックテープ又はマジックテープと着脱可能な物▲４▼で付け、爪掛底表のゴムテープ▲５▼を後緒▲６▼に通し爪掛裏面のボタン▲７▼に掛け固定する事により草履と爪掛けの取り外し可能な機能を特徴とする和装用草履の爪掛。
【手続補正２】
【補正対象書類名】明細書
【補正対象項目名】全文
【補正方法】変更
【補正の内容】
【発明の詳細な説明】
【産業上の利用分野】
【０００１】本発明は和装用草履と爪掛の改良に関する。
【背景技術】
【０００２】従来の草履用爪掛は草履と固定され一体化しているものしかない。その為、屋外では防寒・雨避けとし必要だが、屋内ではその必要性がなく邪魔である。
【発明が解決しようとする課題】
【０００３】上記で述べた従来の物では、爪掛付き草履と付いていない草履の二足が必要となり、どちらか一足の草履ではＴＰＯに対応できない。
【０００４】本発明はこの様な従来の欠点を解消する工夫を施した爪掛を提供する事を目的とする。
【課題を解決しようとする手段】
【０００５】上記目的を達成するために、草履の先端から前緒▲２▼まで爪掛を被せ、穴▲３▼に前緒▲２▼を通し、マジックテープ又はマジックテープと着脱可能な物▲４▼で付け、爪掛底表のゴムテープ▲５▼を後緒▲６▼に通し爪掛裏面のボタン▲７▼に掛け固定する事により草履と爪掛けの取り外し可能にする。
【作用】
【０００６】本発明は上記の様な構成により、爪掛はマジックテープ又はマジックテープと着脱可能な物▲４▼と後緒▲６▼にゴムテープ▲５▼でボタン▲７▼を掛ける事で取り外し可能にする物である。
【発明の効果】
【０００７】本発明は前記した様に草履と爪掛の取り外しが出来、一足の草履で二通りの使用が可能となる。また爪掛の携帯も可能になる為に今までの欠点とする場合に対しての解決が出来る。
【発明の実施例、及び実施するための最良の形態】
【０００８】図２、図４に示す実施は草履の先端から前緒▲２▼まで爪掛を被せ、穴▲３▼に前緒▲２▼を通し、マジックテープ又はマジックテープと着脱可能な物▲４▼で付け爪掛底表のゴムテープ▲５▼を後緒▲６▼に通し爪掛裏面ボタン▲７▼に掛け固定する。
【図面の簡単な説明】
【０００９】
【図１】  本発明を草履に設置した図
【図２】  本発明を草履に設置した断面図
【図３】  本発明表面図
【図４】  本発明裏面図
【符号の説明】
【００１０】▲１▼  爪掛    つまかわに同じ
▲２▼  前緒
▲３▼  穴
▲４▼  マジックテープ又はマジックテープと着脱可能な物
▲５▼  ゴムテープ
▲６▼  後緒
▲７▼  ボタン
(57)【要約】【課題】  従来の酸素マスクは、使用者の後頭部に装着用ゴムバンドを回して装着する必要があり、頭部を負傷している方や髪の長い方、頸椎を損傷している方にとって大きな負担となっていた。また、酸素マスクの両端に装着用ゴムバンドの穴が一つしかなく、使用者と酸素マスクのサイズの調整が難しかった。【解決手段】  耳式酸素マスクにすることにより、使用者の負担をかけることなく装着でき、酸素マスクの両端に各４箇所の穴を開けることにより、使用者と酸素マスク装着時の位置の調整ができる。【特許請求の範囲】
【請求項１】
酸素マスクの両端に各４箇所穴を開け、その穴に装着用ゴムバンドを両端各２箇所の穴に通し、耳に掛けて装着する酸素マスク。
両端の各４箇所穴は使用者と酸素マスクの装着時の位置の調整のために使用する。
【発明の詳細な説明】
【技術分野】
【０００１】  本発明は、容易に装着できるよう図った酸素マスクに関する。
【背景技術】
【０００２】  従来の医療用酸素マスクは、両端に各１箇所穴が開いており、その穴に装着用ゴムバンドを通して使用者の後頭部にゴムバンドを回して装着している。
また、両端に各１箇所しか穴がなく、使用者のサイズに対して微調整ができなかった。【０００３】  以下、図３により従来の酸素マスクについて説明する。図において、１は装着用バンドを通す穴で、２は装着用ゴムバンドを示している。
【発明の開示】
【発明が解決しようとする課題】
【０００４】  以上に述べた従来の酸素マスクでは、使用者の後頭部にゴムバンドを回して装着するため、使用者の頭部を持ち上げて装着しなくてはならず、使用者・装着者ともに大きな負担となっていた。また、マスク位置の微調整が難しかった。【０００５】  本発明は、このような従来の構成が有していた問題を解決しようとするものであり、使用者と装着者の負担の軽減を目的とするものである。
【課題を解決するための手段】
【０００６】  そして、本発明は上記目的を達成するために酸素マスクの両端に各４箇所穴を開け、微調整ができるようにし、各２箇所の穴に装着用ゴムバンドを通して耳に掛けるものである。【０００７】  上記課題解決手段による作用は次の通りである。すなわち、装着時の微調整が酸素マスクの両端に各４箇所の穴により可能となる。
また、耳に装着用ゴムバンドを掛けることにより使用者と装着者の負担を軽減することができる。
【発明の効果】
【０００８】  上述したように本発明の耳掛け式酸素マスク（微調整タイプ）は医療現場において使用者と装着者の負担の軽減と装着時間の短縮及び、装着時の微調整ができる利便性の高い酸素マスクを提供できる。
【発明の実施するための最良の形態】
【０００９】  以下、本発明の実施の形態を図１、図２に基づいて説明する。
【００１０】  図１においては、１は装着用ゴムバンドを通す穴で両端に各４箇所開いている。２は装着用ゴムバンドを示す。図２は、装着状態を示す。
【００１１】  以下、上記構成の動作を説明する。装着者は使用者の耳にマスク装着バンドを取り付けてマスクを装着する。マスクが適切な位置でない場合は、穴の位置を変更する。
【図面の簡単な説明】
【００１２】
【図１】  本発明の形態を示す斜視図
【図２】  本発明の実施の形態を示す斜視図
【符号の説明】
【００１３】  １  装着用ゴムバンドを通す穴
２  装着用ゴムバンド
【図１】
2005253925.tif 000002
【図２】
2005253925.tif 000003
【図３】
2005253925.tif 000004
【手続補正書】
【提出日】平成16年5月14日(2004.5.14)
【手続補正１】
【補正対象書類名】明細書
【補正対象項目名】００１２
【補正方法】変更
【補正の内容】
【００１２】
【図１】本発明の形態を示す斜視図
【図２】本発明の実施の形態を示す斜視図
【図３】従来の酸素マスク
(57)【要約】【課題】    机の下、車の座席のした、台所の床、狭い所など、掃除しにくい。【解決手段】  材質がナイロン、レーヨン、ポリエステル、ポリエチレン、ポリプロピレン、アクリル、綿、絹、紙でつくった、使い捨て掃除用靴下で掃除する。携帯に便利なようにコンパクトにする。【選択図】図  １
2005253929.tif 000002
【特許請求の範囲】
【請求項１】
材質がナイロン、レーヨン、ポリエチレン、ポリプロピレン、アクリル、ポリエステル、絹、綿、紙、でつくった、使い捨て掃除用靴下。
【請求項２】
車の座席のした、机の下、台所の床、掃除しにくかった場所を掃除し安くする使い捨て掃除用靴下。
【発明の詳細な説明】
【技術分野】
【１０００１】  本発明は、材質がナイロン、レーヨン、ポリエチレン、ポリプロピレン、アクリル、絹、綿、紙、でつくった、使い捨て掃除用靴下。足首の部分は、ゴムを、通し、伸縮性を持たせる。サイズは、用途により変化する。
【背景分野】
【１０００２】  使い捨て掃除用靴下をはき、車の座席の下、机の下、台所の床、手の届かないところなどを掃除します。
【発明の開示】
【発明の効果】
【１０００３】  この用にすれば手のとどかない所が掃除できる。
【発明を実施するための、最良の形態】
【１０００４】  足首にゴムを入れ、伸縮性を持たせ脱げにくくする。
靴下の、上にはけるようにする。
【図面の簡単な説明】
【１０００５】
【図１】  使い捨て掃除用靴下の、平面図である。
【０００６】１  使い捨て掃除用靴下。
２  コム
【図１】
2005253929.tif 000003
【手続補正書】
【提出日】平成16年10月13日(2004.10.13)
【手続補正１】
【補正対象書類名】特許請求の範囲
【補正対象項目名】請求項３
【補正方法】追加
【補正の内容】
【請求項３】
靴または、ブ−ツを履いたときに、靴の中の汚れ、湿気を、吸着するためのフ−トカバ−用の、不織布を利用した使い捨て掃除用靴下。
【手続補正書】
【提出日】平成16年12月27日(2004.12.27)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
不織布を利用し、机の下、車の座席の下、手の届かない所などを、掃除しやすくする、使い捨て掃除用靴下。
【請求項２】
乾式不織布のエアレイド不織布、スパンボンド不織布を利用した使い捨て掃除用靴下の材質は、ポリプロピレン、ポリエステル、ポリエチレン、ポリウレタン、ナイロン、レ−ヨン、アクリル、紙、綿、絹を利用する。
【請求項３】
靴または、ブ−ツを履いたときに、靴の中の汚れ、湿気を吸着、消臭するためのフ−トカバ−用の、不織布を利用した使い捨て掃除用靴下。
(57)【要約】【課題】  本発明は、ゴルフクラブ用ヘッドカバーにゴルフボール拭きを設けることで、キャディーを使用しないセルフでのゴルフプレーにおいて、不便であったゴルフボール拭きの携行を容易にする。【解決手段】  本発明は、ゴルフクラブ用ヘッドカバー１にゴルフボール拭き２を一体で形成。またはゴルフクラブ用ヘッドカバー１にゴルフボール拭き２をクリップ又はフック３などで脱着可能な形で設けることより、キャディーを使用しないセルフでのゴルフプレーにおいて、グリーン上で行なうゴルフボールの水気や汚れ取りを、プレイヤー自らの手で容易に行えるようになる。【選択図】  図１
2005253923.tif 000002
【特許請求の範囲】
【請求項１】
ゴルフボール拭きをゴルフクラブ用ヘッドカバーと一体で形成。また、マジックテープ、スナップ、クリップ、フックなどで、ゴルフクラブ用ヘッドカバーから、ゴルフボール拭きを脱着できるように設けたことを特徴とするゴルフボール拭き付ゴルフクラブ用ヘッドカバー。
【発明の詳細な説明】
【発明の詳細な説明】
【技術分野】
【０００１】  本発明は、ゴルフ用具に係わり、近年主流になりつつあるキャディーを使用しないセルフでのゴルフプレーにおいて、グリーン上で自らゴルフボールの水気や汚れを拭き取ることができるように、ゴルフボール拭きを設けたゴルフクラブ用ヘッドカバーに関するものである。
【背景技術】
【０００２】  キャディーを使用しないセルフでのゴルフプレーにおいては、グリーン上で、濡れたり汚れたりしたゴルフボールを拭く場合、手や衣服などで拭くか、面倒なタオルを持ち歩くなどの問題点があった。
【発明が解決しようとする課題】
【０００３】  本発明は、このようなキャディーを使用しないセルフでのゴルフプレーにおいての問題点に鑑みてなされたもので、ゴルフプレー中、ゴルフボール拭きの携行を容易にすることで、前述の問題点を解消しようとするものである。
【課題を解決するための手段】
【０００４】  本発明のゴルフボール拭き付ゴルフクラブ用ヘッドカバーは、パターなどのゴルフクラブ用ヘッドカバーにゴルフボール拭きを設けることで、ゴルフプレー中常にゴルフボール拭きを手近に携行することができるので、前述の問題点を解決することができる。
【発明を実施するための最良の形態】
【０００５】  以下、本発明のゴルフボール拭き付ゴルフクラブ用ヘッドカバーの実施の形態を添付した図面を参照して説明する。【０００６】  図１に示すように、ゴルフクラブ用ヘッドカバー１にゴルフボール拭き２を吊り下げたままの使用。また、ゴルフクラブ用ヘッドカバー１からゴルフボール拭き２を取り外し、衣服などに取り付けての使用もできるようにクリップ又はフック３などで吊り下げ、脱着可能な形で設ける。【０００７】  図２に示すように、ゴルフボールを拭き易くするため、ゴルフクラブ用ヘッドカバー１からゴルフボール拭き２を取り外せるように、マジックテープまたはスナップ５などで脱着可能な形で設ける。【０００８】  図３に示すように、ゴルフボール拭き２の紛失や置き忘れを防ぐため、ゴルフクラブ用ヘッドカバー１とゴルフボール拭き２を一体で形成する。
【発明の効果】
【０００９】  本発明は、以上説明したような形態で実施され、近年主流になりつつあるキャディーを使用しないセルフでのゴルフプレーにおいて、グリーン上で自ら行なわなければならないゴルフボールの水気や汚れ取りを、容易に行なうことができるようにる。
【図面の簡単な説明】
【図１】  本発明のゴルフボール拭き付グルフクラブ用ヘッドカバーの、グルフクラブ用ヘッドカバーとゴルフボール拭きの一体または脱着兼用型を示す正面図である。
【図２】  本発明のゴルフボール拭き付グルフクラブ用ヘッドカバーの、グルフクラブ用ヘッドカバーとゴルフボール拭きの脱着型を示す正面図である。
【図３】  本発明のゴルフボール拭き付グルフクラブ用ヘッドカバーの、グルフクラブ用ヘッドカバーとゴルフボール拭きの一体形成型を示す正面図である。
【符号の説明】
１  ゴルフクラブ用ヘッドカバー
２  ゴルフボール拭き
３  クリップ又はフック
４  吊りひも
５  マジックテープ又はスナップ
６  ゴルフクラブ
【図１】
2005253923.tif 000003
【図２】
2005253923.tif 000004
【図３】
2005253923.tif 000005
(57)【要約】【課題】  犬が遊びながら歯に残った食ベカス、歯垢を除去するデンタルケア用品を提供する。【解決手段】  開口部を有し少なくとも開口部の淵部が伸縮性素材からなる網目状の布の袋体と、この袋体の中に取り出し可能なペット用玩具からなることを特徴とする犬用デンタルケア用品。【選択図】  図１
2005253919.tif 000002
【特許請求の範囲】
【請求項１】
開口部を有し、少なくとも開口部の淵部が伸縮性素材からなる網目状の布の袋体とこの袋体の中に取り出し可能なペット用玩具からなることを特徴とする犬用デンタルケア用品。
【発明の詳細な説明】
【技術分野】
【０００１】本発明は、犬が遊びながら歯に残った食べカス、歯垢を除去するデンタルケア用品である。
【背景技術】
【０００２】従来は、人の手によってペット用歯ブラシを使用し犬の歯を磨いていた。
【発明の開示】
【発明が解決しようとする課題】
【０００３】そのため次のような問題点があった。
（イ）  歯磨きの習性がない犬であるため歯ブラシに抵抗し容易に磨けず抵抗による歯ブラシの破損によって誤飲があった。
（ロ）  人による力が働く為、過剰な歯磨きによる歯肉の損傷があった。
【課題を解決するための手段】
【０００４】開口部を有し、少なくとも開口部の淵部が伸縮性素材からなる網目状の布の袋体とこの袋体の中に取り出し可能なペット用玩具からなることを特徴とする犬用デンタルケア用品。
【発明の効果】
【０００５】本発明は、犬の歯に残った食べカスや歯垢を自然に遊ばせながら効率的に除去しこれまで手作業で行っていた歯磨きによる食べカスや歯垢を除去する手間がなくなり、歯肉への損傷がなくなる。伸縮性素材の網目部分が図５で示すように犬が淵部（４）を上下の歯で噛んだ時に歯を締めつけながら包み込み、歯に残った食べカスや歯垢が付着することで取り除かれる。また、袋体（１）を水、又はお湯で濡らし水気をとったのちペット用玩具（２）を装入し犬へ与えると食べカスや歯垢の除去効果が増す。そして、ペット用玩具（２）のみで遊ぶよりも袋体（１）に装入することによってペット用玩具（２）を取り出そうと袋体（１）全体を過剰に噛む事により顎の強化やストレス発散になるとともに、伸縮性素材の使用により袋体（１）から容易にペット用玩具（２）を取り出せず口を開口部（３）からペット用玩具（２）に向けて更に奥へと入れ込み、噛む事になるので歯全体の食べカスや歯垢の除去が容易に得られる。
【発明を実施するための最良の形態】
【０００６】以下、本発明の実施の形態を説明する。
（イ）筒状で伸縮性素材からなる網目状の布の袋体（１）の開口部（３）からゴムプラスチック、綿等からなる素材のペット用玩具（２）を装入する。
本発明は、以上の構成よりなっている。
本発明を使用するときは、ペット用玩具（２）に興味を持たせたのち袋体（１）にペット用玩具（２）を開口部（３）から装入し犬へ遊ばせるため与える。すると興味を示したペット用玩具（２）を取り出そうと袋体（１）の開口部（３）と淵部（４）を噛む。このとき、袋体（１）の素材は綿、ポリエステル、レーヨン等からなる布全般を含み、その種類、割合は問わない。なお、図３に示すように袋体の開口部は１カ所でもよい。
【図面の簡単な説明】
【０００７】
【図１】本発明の分離斜視図
【図２】本発明の全体斜視図
【図３】本発明の他の実施例の分離斜視図
【図４】本発明の他の実施例の全体斜視図
【図５】本発明の使用状態を示す図
【符号の説明】
【０００８】    １、１Ａ  袋体
２        ペット用玩具
３、３Ａ  開口部
４、４Ａ  淵部
【図１】
2005253919.tif 000003
【図２】
2005253919.tif 000004
【図３】
2005253919.tif 000005
【図４】
2005253919.tif 000006
【図５】
2005253919.tif 000007
(57)【要約】      （修正有）【課題】人体の健康改善や活性化と共に今後もっとも重要視されている有効な予防医療という課題に於いても、その効果が有望視されている遠赤外線の２次放射浴を行う手段が注目されていて、岩盤浴といった名称で市中の営業展開が広がりつつあるのが現状である。しかしながら利用しなければならない素材が自然の岩石等であり前記放射浴を行うための条件は高温高湿度の要件と共に岩石を建築物の床面に敷き詰めて間接加熱を行って供する必要があり、システム全体は建築構造の中に組み込み固定された様式で行われている。前記放射浴がもっとも要求されている移動の出来ない病人や身体の不自由な人々が、前記遠赤外線２次放射浴を行うことが出来る遠赤外線浴装置を提供する。【解決手段】遠赤外線２次放射浴について特に有効である物質を人工的に再構成してパネル状に軽量化して発熱体と一体化することによって、移動可能でコンパクトなキャビネットとした構成とする。【選択図】図１
2005253915.tif 000002
【特許請求の範囲】
【請求項１】
開閉できて出入りが可能なキャビネットに於いて内面に少なくとも人体が横臥した場合に生ずる接触面に対応する面積をもって、加熱源を兼ね備えた遠赤外線の２次放射体が設置されたキャビネット。
【請求項２】
キャビネットにキャスター又は取っ手等を取り付けて搬送移動が可能な構造をそなえた請求項第１項記載の遠赤外線浴装置。
【発明の詳細な説明】
【発明の詳細な説明】
【産業上の利用分野】
【０００１】  遠赤外線を用いた治療は医療に於いても行われているが、一般的に物質を直接加熱して発生する１次的な直熱としての遠赤外線の効果を利用しているのが一般的手法となっている。近年になって自然石等の中にその物質としての組成の持つ特性が石を構成している状態によってその石を加熱することによって生ずる特に低温域での人体にとって非常に有効な遠赤外線の２次放射熱波調による効果のあることが発見されて活発な利用が広がりつつあり今後予防医療の上からいっそうの広がりが予想されている。
【背景技術】
【０００２】  従来又は現在の遠赤外線利用の状態は前述したとおり直接的な高温域から発生する遠赤外線の１次放射の効果を利用する手法から岩石やセラミックなどを熱して発生する遠赤外線の２次放射である低温域の遠赤外線から得られる新たな遠赤外線効果には従来になかったような大きな人体に対しての効果があることが近年になって解明されて急速な利用が広がっている。
【発明が解決しようとする課題】
【０００３】  前記したとおり自然岩石などから発する２次遠赤外線効果には人体の様々な不具合の改善や活性化についての顕著な効果が見られるので、岩盤浴等という表現によって自然の中から効果の得られる岩石を浴場の床面に敷きつめて間接加熱を行い最近は市中の営業による利用がすすめられている。しかしながら自然の岩石を熱して供する仕様のために固定した建築構造の中の床面に並列的に設置して利用されていることが一般である。本願考案は自然岩石の中の有効成分を選択的に合成し同時に発熱体と一体化することによってコンパクトで高効率な遠赤外線２次放射パネルの軽量化製作を可能にするとともに、人々の個人利用に向けてどんな場所に於いても可能にする目的をもって、断熱構造で開閉式の移動できるコンパクトなキャビネット形とし、キャビネットの内面には前述遠赤外線発熱体を組み込み従来不可能と考えられた高効率の遠赤外線遠赤外線２次放射浴を体の不自由な老人や外出の出来ない人や一般の個人利用者に私的で簡便なシステムとして利用することが可能となる。
【作用】
【０００４】  単純に１次的な熱エネルギーの中の遠赤外線領域でも人体の中の水その他の物質との共鳴や励起的な作用による効果は期待できるが、近年の先端的な研究や臨床例に於いては前記したとおり自然岩石のある種のミネラル物質に由来する低温域の弱い電磁波の中には生体にとって今までになかった新しい活性化効果を認めることが臨床的に証明され今後広く活用されることが予想されている。
【構成及び実施例】
【０００５】  本願出願に係わる一例のデザインによる一人用遠赤外線２次放射浴装置を（図１）〜（図４）により説明する。キャビネット１に人体１０が遠赤外線２次放射プレート１１上に横臥して遠赤外線浴を行うためにスチーマー１２、からは常に蒸気をキャビネット内に充満させて発汗を促すとともにキャビネットの開口部３は４のアクリル板と一体化した蓋で図４、の状態に開口して人の出入りを可能とする。又４のアクリル板の中央には外気に常に開口する様に穴５、が開けられ岩盤浴中の人の顔面が外気に接する状態とするキャビネット内の遠赤外線２次放射プレート１１に横臥した人体１０は高湿度の中で発汗しながら低温域の遠赤外線２次放射を受けて、心身共に快調を得ることが出来る。同時に本願案の
【請求事項２】
の要点は前述遠赤外線放射プレート１１、の高出力化と軽量化によって個人用のコンパクトなキャビネットとして広く一般の人々の活用を願ってキャビネットにセットされたキャスター６、又は運搬用取っ手７、んどによりキャビネットの移動、搬送を可能なものとした。
【発明の効果】
【０００６】  前記各項に説明のとおり今後人々にとってますます重要視されなければならない予防医学的な視点から人々の日常の健康をゆるぎないものとするために、又すでに体の不具合の人々にとってもいかなる場所であっても遠赤外線の２次放射浴によって健康の改善と活性化健全化することの目的のために、だれでもが簡単に遠赤外線浴を可能とすることが出来ることを願ってコンパクトで移動が出来る遠赤外線２次放射装置の供給をするものである。
【図面の簡単な説明】
【図１】  本願考案による遠赤外線２次放射浴用キャビネットの横方向から見た側断面説明図
【図２】  上方向からの正面図
【図３】  図１の右方向からの側面図
【図４】  図１の右方向からの開蓋の説明図
【符号の説明】
記号は全図共通
１．キャビネット全本体
２．キャビネット本体
３．キャビネット蓋体
４．キャビネット蓋に取り付けたアクリルシェード
５．アクリルシェードの開口部
６．運搬用キャスター
７．運搬用取っ手
８．蓋開閉時用ロック及び取っ手
９．キャビネット本体補強用フレーム
１０．２次遠赤外線浴中の施療人体透視図
１１．遠赤外線放射用プレート
１２．蒸気発生用スチーマー
【図１】
2005253915.tif 000003
【図２】
2005253915.tif 000004
【図３】
2005253915.tif 000005
【図４】
2005253915.tif 000006
(57)【要約】【課題】現状では挿入時の直径が限られることから小さな金属性の鉗子などにより挟鉗や圧排することで目的物支持するため、本来保存すべき臓器が挫滅したり出血をきたすことが多かった。【解決手段】この発明は、腹腔鏡で一般的に用いられる５ｍｍや１ｃｍの挿入孔や小開腹創より挿入しすることができ、その後に二酸化炭素を注入し膨らませるため、目的物の支持に必要な大きさや硬度のバルーンで支持することができる。これにより臓器および腫瘤を挟鉗することなく支持し視野やスペースを確保することでより出血や臓器の損傷などのリスクを軽減し手術を行うことを可能とする。【選択図】図１
2005253916.tif 000002
【特許請求の範囲】
【請求項１】
腹腔鏡手術および体外法などの小視野の開腹手術において二酸化炭素を注入し、臓器や腫留などの目的物を圧排や支持することで視野やスペースの確保を行い、臓器および腫瘤などの目的物を挟鉗することなく支持することを目的とする支持鉗子
【請求項２】
耐火加工もしくは難燃性の軟度のある素材を用いることにより、二酸化炭素素を抜気することによりバルーンをたたむことで支持鉗子を従来のトラッカールや小開腹創より挿入・抜去することができる二酸化炭素注入式支持鉗子
【請求項３】
バルーン支持芯のより狭い間隙に挿入後二酸化炭素を注入しスペースを広げ目的物を圧排や支持することができる二酸化炭素注入式支持鉗子
【発明の詳細な説明】
【技術分野】
【０００１】この発明は、医学特に外科などにおける腹腔鏡手術および体外法などの小視野の開腹手術に用いる鉗子に関する。
【背景技術】
【０００２】現在腹腔鏡において用いられている鉗子は金属性であり目的物の支持は挟鉗（はさむの意・以下挟鉗とす）や圧排することで支持していた。
【特許文献１】認めず
【発明の開示】
【発明が解決しようとする課題】
【０００３】しかしながら、現在までの技術によれば、金属性の鉗子などにより挟鉗や圧排を行うことにより本来保存すべき臓器が挫滅したり、また出血をきたすことが多かった。また挿入時の直径が限られることから小さな鉗子を用いらざるをえず手技が行いにくかった。そこで、この発明は、臓器および腫瘤を挟鉗することなく支持し視野やスペースを確保することでより出血や臓器の損傷などのリスクを軽減し手術を行うことを課題とする。
【課題を解決するための手段】
【０００４】以上の課題を解決するために、第一発明は、腹腔鏡に用いられている鉗子の柄の部分を内部が空洞である金属性のストロー状とし、その先に球状、直方体、もしくは円錐状の風船状のバルーンをつけ対側から二酸化炭素素を注入することで目的物を支持することを特徴とする二酸化炭素注入式支持鉗子である。【０００５】また、第二発明は、球状、直方体、もしくは円錐状の風船状のバルーンに耐火加工した難燃性ポリエステルなど目的に応じた軟度のある素材を用いることにより、外筒部とともに従来より手術に用いられているトラッカールや小開腹創などより挿入し、外筒をずらし支持鉗子部分を露出し二酸化炭素素を注入しバルーンを膨張させ目的物を支持することができる。また抜気後、外筒を先端に向けてずらし支持鉗子をたたむことでトラッカール（腹腔鏡手術時用いる鉗子挿入器具・以後トラッカール）などより抜去することができる二酸化炭素注入式支持鉗子である。
【発明の効果】
【０００７】第一発明または第二発明によれば挟鉗するポイントのない実質臓器や挫滅や出血のリスクの高い臓器および腫瘤を二酸化炭素素を注入しバルーンを膨張させ目的物を支持することができるため、腹腔鏡の手術のリスクを軽減しより手術が行い易くなる。
【発明を実施するための最良の形態】
【０００８】この発明の一実施形態を、図１に示す。
吸引式把持鉗子の本体１（柄）の部分は金属性であり中空のストロー型である。本体２（把持鉗子）の部分は、耐火加工した難燃性ポリエステルなど目的に応じた軟度のある素材により作製された球状、直方体、もしくは円錐状の風船状のバルーンのよる目的物支持部である。ある程度硬度のあり耐熱性の金属などのよる本体３（バルーン支持芯）をつけることで狭い間隙に挿入後二酸化炭素を注入しスペースを広げることができる。本体４（吸引接合）の部分は二酸化炭素注入器接合部と接合する。本体５（陰圧維持バルブ）は腹腔内を陰圧に保つことおよび本体柄部分を安定させるために用い、本体・柄部分、本体・外筒分いずれかに固定する。本体６（外筒）の部分は本体と共にトラッカールより挿入、挿入後外筒を後方にずらすことで把持鉗子部分を露出し、また先端側にずらすことで把持鉗子部分を格納する。【０００９】本体２（把持鉗子）の部分は、耐火加工した難燃性ポリエステルなどの軟度のある素材により作製された球状、直方体、もしくは円錐状の風船状のバルーンを抜気したたむことで外筒への格納を可能にすることで、従来より用いられているトラッカールからの挿入、抜去が可能である。【００１０】「実施形態の効果」
この実施形態によれば、目的物を、挟鉗することなく支持することができるため挫滅や出血のリスクを著明に減少させ手術に必要な視野やスペースを得ることができる。従来より用いられているトラッカールからの挿入、抜去が可能であるため術中にその目的物に合った素材、大きさなど選択することもできる二酸化炭素注入によるバルーン型支持鉗子である。【００１１】「他の実施形態」
図１の実施形態では、把持鉗子部分は、球状、直方体、もしくは円錐状であったが、他の実施形態では板状、円柱状などでも良く、また線状の滑り止めを平行に複数つけることも可能である。また、透明な素材を用いることでさらに良い視野が得られる。二酸化炭素注入器接合部に二酸化炭素注入圧調整器とつけることも可能である。外筒部は取り外して使用することも可能である。
【産業上の利用の可能性】
【図面の簡単な説明】
【００１２】
【図１】この発明を示す斜視図（バルーン加圧時）である。本体４二酸化炭素注入器接合部分より加圧し本体２バルーン型支持鉗子部分のバルーンを膨らませることで、支持鉗子部分にて目的物を支持する。ある程度硬度のある耐熱性の金属などのよる本体３バルーン支持芯をつけることで狭い間隙に挿入後二酸化炭素を注入しスペースを広げることもできる。本体５陰圧維持バルブは腹腔内を陰圧に保つことおよび本体柄部分を安定させるために用い、本体・柄部分、本体・外筒いずれかに固定することとなる。
【図２】この発明を示す斜視図（挿入および抜去時）である
【図３】この発明を示す側面断面図（バルーン加圧時）である。
【図４】この発明を示す側面断面図（挿入および抜去時）である。
【符号の説明】
【００１３】      １  本体・柄部分      ２  バルーン型支持鉗子部分
３  バルーン支持芯    ４  二酸化炭素注入器接合部接合部分
５  陰圧維持バルブ    ６  外筒
【図１】
2005253916.tif 000003
【図２】
2005253916.tif 000004
【図３】
2005253916.tif 000005
【図４】
2005253916.tif 000006
(57)【要約】【課題】  傾斜板に型形を付けた靴修理用材料を提供する。【解決手段】傾斜板の表面を機械で加圧し、型形を付け滑りにくくした、型付き傾斜板である尚、型形はピラミット・波形など自由に設定して良い。【選択図】  図１
2005253917.tif 000002
【特許請求の範囲】
【請求項１】
靴修理用の傾斜板の表面を機械で加圧し、型形を設け滑りにくくした、型付き傾斜板。
【発明の詳細な説明】
【技術分野】
【０００１】  本発明は、傾斜板に型形を付けた、靴の修理用傾斜板に関するものである。
【背景技術】
【０００２】  従来、傾斜板は模様程度型のものがあった。
【発明の開示】
【発明が解決しようとする課題】
【０００３】  そのために、次のような問題点があった。
イ、型がないので踵の修理をしても滑りやすかった。
ロ、型底の靴に型のない傾斜板を使うため違和感があった。
本発明は、これらの問題を解決するためになされたものである。
【課題を解決するための手段】
【０００４】  傾斜板の表面を機械で加圧し、型形を設け滑りにくくした、型付き傾斜板である。
【発明の効果】
【０００５】  深い型があるため、滑りにくく、きわめて安全である。
【発明を実施するための最良の形態】
【０００６】  以下、本発明の実施形態について説明する。
（イ）傾斜板（１）表面に型形（２）を設ける。
本発明は、以上のような構成で、これを使用するときは、靴のヒール（３）の傾斜減りしたところに図２のように型付き傾斜板（４）を接着する。その後何ヶ所か釘打ちしてもよい。
【図面の簡単な説明】
【０００７】
【図１】本発明の写視図
【図２】本発明の実施例を示す斜視図
【符号の説明】
【０００８】１  斜視板
２  型形
３  靴のヒール
４  型付き傾斜板
【図１】
2005253917.tif 000003
【図２】
2005253917.tif 000004